(57)【要約】【課題】最近はリラクゼーションを目的としたシステムや器具が多数商品化されているが、十分満足出来る商品が見つからない状況である。【解決手段】本発明は、ストレス、疲れなどから気持ちをリフレッシュさせる家庭内で利用できるリラクゼーションシステムである。利用者は家庭内のリラクゼーションルームの操作パネルよりそのときの自分の気分などを入力し、インターネットを通じてコントロールサーバに送信する。コントロールサーバでは、送信された利用者の気分について予め登録された個人データ及び季節・時間・バイオリズムなどからリフレッシュに必要な情報を求め、部屋の中のモニター画像に映像を表示し、映像に合わせて音楽や、香り、照明をコントロールして最適な環境を作り出す。それにより利用者は、気分をリラックスすることができ、特に香りによってリフレッシュすることができるという特徴がある。【選択図】      図１
2005143629.tif 000002
【特許請求の範囲】
【請求項１】
リラクゼーションルームに設置された情報処理装置のホームサーバと、前記ホームサーバとインターネットで接続されリラクゼーションルームの利用者をリラックスさせるリラクゼーションデータを記憶する情報処理装置のコントロールサーバと、を備えたリラクゼーションシステムであって、
前記コントロールサーバは、利用者の個人情報を記憶する個人情報データベース（以降、データベースをＤＢと称す）と、リラクゼーションデータとして映像情報を記憶する映像ＤＢと、音情報を記憶する音楽ＤＢと、香りの調合情報を記憶する香りＤＢと、笑いを含む映画、テレビからの録画情報を記憶する録画ＤＢと、を備え、利用者の申告した気分に相応したリラクゼーションデータや利用者の指定した録画情報を選択して前記ホームサーバに送信し、
前記ホームサーバは前記コントロールサーバから受信したリラクゼーションデータをリラクゼーションルーム内の各機器に中継し、
前記機器として、前記受信した映像や録画情報を表示するモニターと、音情報を流すスピーカーと、リラクゼーションルームを照明する照明装置と、複数の香料を格納し香りを漂わせる香りＢＯＸと、操作パネルと、を備えることを特徴とするリラクゼーションシステム。
【請求項２】
利用者はリラクゼーションルームの操作パネルとモニターから利用者の気分情報を前記コントロールサーバに送信すると、前記コントロールサーバは利用者の気分情報にふさわしいリラクゼーションデータを前記各ＤＢから選定して前記ホームサーバに送信することを特徴とする請求項１記載のリラクゼーションシステム。
【請求項３】
前記コントロールサーバが選定したリラクゼーションデータのうちの前記モニターに表示される映像と前記スピーカーに流される音と前記香りボックスから漂わせる香りは、時間軸上で同期することを特徴とする請求項２記載のリラクゼーションシステム。
【請求項４】
前記香りＢＯＸは、前記コントロールサーバからの香りデータを受け付けると、マイナスイオンを発生させ、香料ケースの蓋を前記リラクゼーションデータに基づく開閉角度に従って開き、送風機の送風の強弱を調整して香りの漂い方を調整するとともに、画像の切り替わりの場合、室内の香りを早急に消臭する為に風量を増し次に予定する香りと混ざらないようにすることを特徴とする請求項３記載のリラクゼーションシステム。
【請求項５】
前記コントロールサーバは、前記録画ＤＢに記憶する録画情報を特定する情報を、自身が開設するホームページに応募情報を掲載して公募することを特徴とする請求項１記載のリラクゼーションシステム。
【請求項６】
前記コントロールサーバが公募する情報は、笑いを誘う場面や感動的場面を含む映画の名前やテレビの番組名とその放送日時を含むその場面を特定する情報と、感動的な記事を含む新聞や雑誌や書籍を特定する情報と掲載された文言であり、前記録画ＤＢの登録の対象となった情報の提供者には、前記コントロールサーバから応募者の口座に報奨金の振り込みを行うことを特徴とする請求項５記載のリラクゼーションシステム。
【請求項７】
リラクゼーションルームにホームサーバに接続されたモニターと操作パネルとスピーカーと調合情報に従って指定された香りを放つ香りＢＯＸとがあって、モニターと操作パネルからホームサーバを経由して利用者のその日の気分情報をインターネットによってコントロールサーバに送信する第１のステップと、
前記コントロールサーバは、受信した利用者の気分情報に従って相応する映像情報と音情報と香りの調合情報とをデータベースから選定して、前記ホームサーバに送信する第２のステップと、
前記ホームサーバは、前記コントロールサーバから受信した映像情報はモニターに、音情報はスピーカーに、香りの調合情報は香りＢＯＸにそれぞれの情報を同期して送信する第３のステップと、
を備えることを特徴とするリラクゼーション方法。
【請求項８】
笑いを誘う場面や感動的場面を含む映画の名前やテレビの番組名とその放送日時、感動的な記事を含む新聞、雑誌、書籍を特定する情報と掲載された文言を含む情報をサーバがインターネットの第１のホームページで公募する第１のステップと、
応募者が前記第１のホームページの公募を参照し公募に該当する情報を特定する情報を前記第１のホームページに登録する第２のステップと、
サーバが第１のホームページに公募された情報で応募数の多い情報について該当する映画、テレビ番組の場面を入手して第２のホームページに録画情報として掲載する第３のステップと、
サーバが第２のホームページの録画情報を提供した応募者の金融機関の口座に報奨金を振り込む第４のステップと、
を備えることを特徴とするリラクゼーション方法。
【請求項９】
コンピュータに、
家庭のリラクゼーションルームにホームサーバに接続されたモニターと操作パネルとスピーカーと調合情報に従って指定された香りを放つ香りＢＯＸとがあって、モニターと操作パネルからホームサーバを経由して利用者のその日の気分情報をインターネットによってコントロールサーバに送信する第１のステップと、
前記コントロールサーバは、受信した利用者の気分情報に従って相応する映像情報と音情報と香りの調合情報とをデータベースから選定して、前記ホームサーバに送信する第２のステップと、
前記ホームサーバは、前記コントロールサーバから受信した映像情報はモニターに、音情報はスピーカーに、香りの調合情報は香りＢＯＸにそれぞれの情報を同期して送信する第３のステップと、
実行させるプログラム。
【請求項１０】
コンピュータに、
笑いを誘う場面や感動的場面を含む映画の名前やテレビの番組名とその放送日時、感動的な記事を含む新聞、雑誌、書籍を特定する情報と掲載された文言を含む情報をサーバがインターネットの第１のホームページで公募する第１のステップと、
応募者が前記第１のホームページの公募を参照し公募に該当する情報を特定する情報を前記第１のホームページに登録する第２のステップと、
サーバが第１のホームページに公募された情報で応募数の多い情報について該当する映画、テレビ番組の場面を入手して第２のホームページに録画情報として掲載する第３のステップと、
サーバが第２のホームページの録画情報を提供した応募者の金融機関の口座に報奨金を振り込む第４のステップと、
を実行させるプログラム。
【発明の詳細な説明】
【技術分野】
【０００１】
本発明は、家庭内のリラクゼーションルームに設置された照明装置、香りボックス、モニター、スピーカをインターネット上のコントロールサーバから制御し、そのときの利用者の気分をリフレッシュさせるために最適な照度、香りの発生と、映像、音楽等の送信を行うリラクゼーションシステム、リラクゼーション方法及びそのプログラムに関する。
【背景技術】
【０００２】
最近はリラクゼーションを目的としたシステムや器具が多数商品化されている。
【０００３】
特許文献においても、照明の寒色系、暖色系の彩度と照度とを調節して人間の呼吸の吸う時間と吐く時間を制御することで気分をリラックスさせる内容が特許文献１に記載されている。
【０００４】
また、利用者別に症状・状態を診断することにより，各人の診断結果にあわせてホスト装置から音と映像または音と映像と匂いを提供する内容が特許文献２に記載されている。これによると、利用者は、端末装置を用いてリラクゼーション・セラピィ用の制御プログラムを実行し，診断項目を通信ネットワークを介してホスト装置側へ転送すると，ホスト装置側で診断プログラムを実行して診断項目に基づいて利用者の診断を行い，診断結果に対応するリラクゼーションに適した最適な音と映像と匂いの組み合わせを選択し，該当する音と映像を通信ネットワークを介して端末装置へ送出する。その後，端末装置が，この音と映像と匂いをスピーカー、表示部、匂い発生装置を介して出力し，利用者に最適な音と映像と匂いの組み合わせによるリラクゼーション・セラピィを提供するという内容である。
【０００５】
【特許文献１】特開２０００−３５７５９１（ページ４−５，図１）
【特許文献２】特開平１０−１１８１８５（ページ６−１０、図１）
【発明の開示】
【発明が解決しようとする課題】
【０００６】
本発明は、前述した特許文献１または２におけるような音、映像、匂いの組み合わせによるリラクゼーション効果をさらに拡大し、例えば、末期ガンで医者からも見放された自宅療養中の患者等にたいしても、生きる勇気や希望を抱かせるような積極的なリラクゼーション効果の提供を目標とするものである。
【０００７】
そのため、本発明は、音声、映像、香り等の提供の他に、利用者によって選択された落語家や漫才師等による心の底から笑うことのできるいくつかの場面についての映像や音声、重病から回復した人からのインタビュー等を併せて提供することで、従来の限定された効果の拡大を図るリラクゼーションシステム、リラクゼーション方法及びそのプログラムを提供するものである。
【課題を解決するための手段】
【０００８】
本発明の第１のリラクゼーションシステムは、リラクゼーションルームに設置された情報処理装置のホームサーバと、前記ホームサーバとインターネットで接続されリラクゼーションルームの利用者をリラックスさせるリラクゼーションデータを記憶する情報処理装置のコントロールサーバと、を備えたリラクゼーションシステムであって、
前記コントロールサーバは、利用者の個人情報を記憶する個人情報データベース（以降、データベースをＤＢと称す）と、リラクゼーションデータとして映像情報を記憶する映像ＤＢと、音情報を記憶する音楽ＤＢと、香りの調合情報を記憶する香りＤＢと、笑いを含む映画、テレビからの録画情報を記憶する録画ＤＢと、を備え、利用者の申告した気分に相応したリラクゼーションデータや録画情報を選択して前記ホームサーバに送信し、
前記ホームサーバは前記コントロールサーバから受信したリラクゼーションデータをリラクゼーションルーム内の各機器に中継し、
前記機器として、前記受信した映像や録画情報を表示するモニターと、音情報を流すスピーカーと、リラクゼーションルームを照明する照明装置と、複数の香料を格納し香りを漂わせる香りＢＯＸと、操作パネルと、を備える。
【０００９】
本発明の第２のリラクゼーションシステムは、第１の発明において、利用者はリラクゼーションルームの操作パネルとモニターからその時点での利用者の気分情報を前記コントロールサーバに送信すると、前記コントロールサーバは利用者の気分情報にふさわしいリラクゼーションデータを前記ＤＢから選定して前記ホームサーバに送信することを備える。
【００１０】
本発明の第３のリラクゼーションシステムは、第２の発明において、前記コントロールサーバが選定したリラクゼーションデータのうちの前記モニターに表示される映像と前記スピーカーに流される音と前記香りボックスから漂わせる香りは、時間軸上で同期することを備える。
【００１１】
本発明の第４のリラクゼーションシステムは、第３の発明において、前記香りＢＯＸは、前記コントロールサーバからの香りデータを受け付けると、マイナスイオンを発生させ、香料ケースの蓋を前記リラクゼーションデータに基づく開閉角度に従って開き、送風機の送風の強弱を調整して香りの漂い方を調整するとともに、画像の切り替わりの場合、室内の香りを早急に消臭する為に風量を増し次に予定する香りと混ざらないようにすることを備える。
【００１２】
本発明の第５のリラクゼーションシステムは、第１の発明において、前記コントロールサーバは、前記録画ＤＢに記憶する録画情報を特定する情報を、自身が開設するホームページに応募情報を掲載して公募することを備える。
【００１３】
本発明の第６のリラクゼーションシステムは、第５の発明において、前記コントロールサーバが公募する情報は、笑いを誘う場面や感動的場面を含む映画の名前やテレビの番組名とその放送日時、感動的な記事を含む新聞、雑誌、書籍を特定する情報と掲載された文言であり、前記録画ＤＢの登録の対象となった情報の提供者には、前記コントロールサーバから応募者の口座に報奨金の振り込みを行うことを備える。
【００１４】
本発明の第１のリラクゼーション方法は、リラクゼーションルームにホームサーバに接続されたモニターと操作パネルとスピーカーと調合情報に従って指定された香りを放つ香りＢＯＸとがあって、モニターと操作パネルからホームサーバを経由して利用者のその日の気分情報をインターネットによってコントロールサーバに送信する第１のステップと、
前記コントロールサーバは、受信した利用者の気分情報に従って相応する映像情報と音情報と香りの調合情報とをデータベースから選定して、前記ホームサーバに送信する第２のステップと、
前記ホームサーバは、前記コントロールサーバから受信した映像情報はモニターに、音情報はスピーカーに、香りの調合情報は香りＢＯＸにそれぞれの情報を同期して送信する第３のステップと、
を備える。
【００１５】
本発明の第２のリラクゼーション方法は、笑いを誘う場面や感動的場面を含む映画の名前やテレビの番組名とその放送日時、感動的な記事を含む新聞、雑誌、書籍を特定する情報と掲載された文言を含む情報をサーバがインターネットの第１のホームページで公募する第１のステップと、
応募者が前記第１のホームページの公募を参照し公募に該当する情報を特定する情報を前記第１のホームページに登録する第２のステップと、
サーバが第１のホームページに公募された情報で応募数の多い情報について該当する映画、テレビ番組の場面を入手して第２のホームページに録画情報として掲載する第３のステップと、
サーバが第２のホームページの録画情報を提供した応募者の金融機関の口座に報奨金を振り込む第４のステップと、
を備える。
【００１６】
本発明の第１のプログラムは、コンピュータに、
家庭のリラクゼーションルームにホームサーバに接続されたモニターと操作パネルとスピーカーと調合情報に従って指定された香りを放つ香りＢＯＸとがあって、モニターと操作パネルからホームサーバを経由して利用者のその日の気分情報をインターネットによってコントロールサーバに送信する第１のステップと、
前記コントロールサーバは、受信した利用者の気分情報に従って相応する映像情報と音情報と香りの調合情報とをデータベースから選定して、前記ホームサーバに送信する第２のステップと、
前記ホームサーバは、前記コントロールサーバから受信した映像情報はモニターに、音情報はスピーカーに、香りの調合情報は香りＢＯＸにそれぞれの情報を同期して送信する第３のステップと、
実行させる。
【００１７】
本発明の第２のプログラムは、コンピュータに、
笑いを誘う場面や感動的場面を含む映画の名前やテレビの番組名とその放送日時、感動的な記事を含む新聞、雑誌、書籍を特定する情報と掲載された文言を含む情報をサーバがインターネットの第１のホームページで公募する第１のステップと、
応募者が前記第１のホームページの公募を参照し公募に該当する情報を特定する情報を前記第１のホームページに登録する第２のステップと、
サーバが第１のホームページに公募された情報で応募数の多い情報について該当する映画、テレビ番組の場面を入手して第２のホームページに録画情報として掲載する第３のステップと、
サーバが第２のホームページの録画情報を提供した応募者の金融機関の口座に報奨金を振り込む第４のステップと、
を実行させる。
【発明の効果】
【００１８】
１）予め本人の好みを自由に登録出来るので、個人毎のリラクゼーションシステムの構築が可能である。
２）本人の気分に合致した癒しの映像と環境（照明や音楽及び香りなど）が自動的に選択されるので、十分満足出来るシステムが提供される。
３）コンピュータにより制御されるので早く正確である。
４）コンピュータによる制御であるので、人為的なミスが発生しない。
５）時間的な制限が無く、２４時間いつでもリラクゼーションを受けることができる。
６）笑い、感動を与える場面の特集情報によって前向きな積極的な気分を抱かせ、自然治癒力を増大させ、病状等を快方に向かわせることができる。
等の効果がある。
【発明を実施するための最良の形態】
【００１９】
次に、本発明を実施するための最良の形態について図面を参照して詳細に説明する。
【００２０】
本発明の第１の実施例は、図１に示すように利用者の家庭の居間等に設けられたリラクゼーションルーム３０と、リラクゼーションルーム３０に設置された情報処理装置であるホームサーバ１０と、ホームサーバ１０とインターネット４０で接続されたコントロールサーバ２０と、から構成される。
【００２１】
コントロールサーバ２０は、複数のホームサーバ１０を接続することができる。尚、リラクゼーションルーム３０は、特に家庭内に限定されるものではなく、利用者がゆったりとくつろぐことができる場所であればどこでもよいが、できれば個室が望ましい。
【００２２】
コントロールサーバ２０は、映像情報を記憶する映像データベース（以降、ＤＢと称す）２１と、音情報を記憶する音楽ＤＢ２２と、香りの調合情報を記憶する香りＤＢ２３と、利用者の個人情報を記憶する個人情報ＤＢ２４と、映画やテレビ番組での笑い等の情報を録画した録画ＤＢ２５と、の各データベースを持つ情報処理装置である。
【００２３】
コントロールサーバ２０は、ホームページを開設し、このホームページを限定されない一般の利用者のパーソナルコンピュータ等の一般端末５０からアクセス可能な形で開放している。このホームページを通じ笑いを含む各種リラクゼーション情報を一般の利用者から公募している。
【００２４】
ホームサーバ１０はコントロールサーバ２０から受信した各データをリラクゼーションルーム３０内の各端末（機器）に中継する機能を有している。
【００２５】
リラクゼイションルーム３０の機器として、映像や録画情報を表示するモニター１１と、音情報を流すスピーカー１２と、リラクゼーションルーム３０を照明する照明装置１３と、香料を格納する香りＢＯＸ１４と、キーボード等の操作パネル１５と、が設置されている。
【００２６】
モニター１１には、風景などの癒し系の映像等をリアルタイムで流し、それに同期して照明装置１３によって明かりがコントロールされ、映像に同期した音楽などをスピーカー１２から流し、本発明の１つの特徴である映像や音楽に合わせた香りの制御を香りＢＯＸ１４によって行う。
【００２７】
例えば森の映像を映写中であれば香りＢＯＸ１４から森の香りを漂わせ、ラベンダー畑が映ればラベンダーの香りを漂わせ、更に音楽データに関しても同じように香りの要素が入っていれば同じように動作する。
【００２８】
また、モニター１１とキーボード等の操作パネル１５により、コントロールサーバ２０の個人ＤＢ２４への利用者の個人データの登録、ホームリラクゼイションシステム起動開始時の個人のリラクゼーションについての希望内容などの情報入力を行う。
【００２９】
コントロールサーバ２０は、インターネット４０を介しホームサーバ１０からの要求により個人ＤＢ２４に登録された利用者のデータを基本にし、映像ＤＢ２１、音楽ＤＢ２２、香りＤＢ２３より適切と思われるデータを自動的に選定しホームサーバー１０に送信する。照明は基本的にはモニター１１上の映像が映えるように制御される。
【００３０】
次に図１，２，３と図４、５，６，７のフローチャートを用いて、本実施例の動作を詳細に説明する。
【００３１】
まず、図２と、図４のフローチャートにて利用者の個人データ登録の説明を行う。
【００３２】
利用者は、リラクゼーションルーム３０の端末の操作パネル１５により個人の情報を登録する。ここで利用者が登録する情報は、利用者を特定する利用者ＩＤ、パスワード、名前、生年月日、電話番号、リラクゼーションを受けることにより発生する費用の精算方法（銀行の口座情報等）等である。
【００３３】
以上の情報の登録が終わると、図８に例示する初期メニュー画面がコントロールサーバ２０から送信されモニター１１に表示されるので、利用者は、例えばこの画面から１．のリラクゼーションを選択して画像や音楽についての嗜好、香りの好き嫌いとリラクゼーションルーム３０の香りＢＯＸ１４内に設定した香りの種類（基本ベース香料＋オプション香料）の登録を行う（ステップ１５Ａ）。
【００３４】
利用者は、音楽について好きなジャンル（クラシック、ジャズ、ポピュラー、邦楽等）、楽器（ピアノ、バイオリン、ギター等）、演奏家、作曲家等の嗜好も指定できる。
【００３５】
映画を含めた映像についても、好きなジャンル、俳優、監督等の嗜好も指定できる。
【００３６】
尚、以上のように利用者が個人データ登録で選択し初期登録した内容は、利用時において適宜、指定した内容を変更することができる。
【００３７】
また、コントロールサーバ２０は、どのような映像と音楽の組み合わせ、照明の組み合わせが利用者をリラクゼーションさせるのに最適か過去のすべての利用者の利用実績からの感想と当該利用者の指定した嗜好とから総合して判断するようにしている。過去の利用者の利用実績情報は、映像ＤＢ２１，音楽ＤＢ２２，香りＤＢ２２等にそれぞれ記憶されている。
【００３８】
図４のフローチャートによると、モニター１１と操作パネル１５によって利用者が選択したデータは、ホームサーバ１０に送られる（ステップ１５Ａ）。ホームサーバ１０は送られてきたデータをインターネット４０を介してコントロールサーバ２０に送る（ステップ１０Ａ）。コントロールサーバ２０は、利用者の名前等の個人データについては個人情報ＤＢ２４へ登録要求し（ステップ２０Ａ）、個人情報ＤＢ２４にデータが反映される（ステップ２４Ａ）。
【００３９】
コントロールサーバ２０は、香りＢＯＸ１４のベース香料でないオプション香料データを香りＤＢ２３に登録要求し（ステップ２０Ｂ）、香りＤＢ２３には当該データが反映される（ステップ２３Ａ）。同様に、コントロールサーバ２０は、映像ＤＢ２１，音楽ＤＢ２２にも利用者の指定した嗜好情報を登録する。
【００４０】
次に、図２，図５のフローチャートにて利用者のホームリラクゼーション利用時の動作を説明する。
【００４１】
利用者は、リラクゼーションルーム３０のモニター１１と操作パネル１５を使用して利用者ＩＤ、パスワードを入力し、コントロールサーバ２０に送信する。
【００４２】
コントロールサーバ２０では利用者の認証を実行し、登録された利用者の確認ができた場合、図８に例示する初期メニュー画面をモニター１１に表示する。利用者が１．のリラクゼーションを指定し、次に表示された画面から、今日の今のリラックス度、落ち込み度、疲労度等の各気分のレベルの個人データを操作パネル１５から個人データを入力すると、ホームサーバ１０はそれを受け取る（ステップ１５Ｂ）。尚、気分の表現として、失恋、近親者の死亡、大事なものの紛失、虫歯の痛み等具体的な事例を元に選択を行うようにしてもよい。利用者はリラクゼーション等を受ける時間情報も送信する。
【００４３】
ホームサーバ１０は、インターネット４０を介してコントロールサーバ２０に個人データを送る（ステップ１０Ｂ）。そこでコントロールサーバ２０は、受信した個人データを元に個人情報ＤＢ２４へアクセスして利用者の情報を取得する（ステップ２０Ｃ）。
【００４４】
コントロールサーバ２０が個人情報ＤＢ２４から取得するデータには、利用者の名前、生年月日、嗜好（画像、音楽など）、香りの好き嫌いなどがある（ステップ２４Ｂ）。コントロールサーバ２０は、利用者の送信した気分等とその気分等に処方する香りの対応テーブルを香りＤＢ２３に有し、利用者の指定した気分等によって検索して該当する香りを選択する。但し、有る気分状態を処方するための複数の香りが有る場合、コントロールサーバ２０は、利用者の好みに合わない香りは除外し他の香りを選択する。
【００４５】
コントロールサーバ２０は、取得した時間情報を含む個人データに基づき映像、音楽、香りを選定し（ステップ２０Ｄ）、選定した各データの取得要求を関連するデータベースに対して行う（ステップ２０Ｅ）。
【００４６】
映像ＤＢ２１は要求された映像データをコントロールサーバ２０に送る（ステップ２１Ａ）。音楽ＤＢ２２は要求された音楽データをコントロールサーバ２０に送る（ステップ２２Ａ）。香りＤＢ２３は、香りＤＢ２３に登録されている香り情報をもとに、香りＢＯＸ１４に対する時間軸に従った香りの調合情報を送る（ステップ２３Ａ）。
【００４７】
コントロールサーバ２０は、映像、音楽データと映像、音楽データに合わせた香りデータとを含むデータをリラクゼーション総合データとしてインターネットを介しホームサーバ１０に送る（ステップ２０Ｆ）。
【００４８】
続いて、図２、図６のフローチャートに基づき利用者側の動作を説明する。
【００４９】
ホームサーバ１０は、コントロールサーバ２０からのリラクゼーション総合データをインターネット４０を介して受けると（ステップ１０Ｃ）リラクゼーション総合データより映像データは映像信号としてモニター１１へ出力し（ステップ１０Ｄ）、音楽データをアナログ信号としてスピーカー１２へ出力する（ステップ１０Ｅ）。
【００５０】
ホームサーバ１０は、照明信号については映像、音楽に合わせて光度の調整を行い（ステップ１０Ｆ）、明かりを調節する事により部屋の雰囲気を作る。ホームサーバ１０は、香りデータを香りＢＯＸ１４に送る（ステップ１０Ｇ）。
ここで図３、図７のフローチャートに移り、香りＢＯＸ１４の動作を説明する。
【００５１】
ホームサーバ１０からの香りデータを香りＢＯＸ１４が受け付けると（ステップ１０Ｈ）、香りＢＯＸ１４の香りコントロール装置１４１は、マイナスイオン発生装置１４５にマイナスイオンを発生させる（ステップ１４１Ａ）。香りコントロール装置１４１は、映像、音楽にあわせて送られてくる香りデータにより香料ケース１４２に指示を出し（ステップ１４１Ｂ）、その指示に従い香料ケース１４２は香料の蓋を開く（ステップ１４２Ａ）。
【００５２】
又、香りの量の調整も香料ケース１４２に指示を出し（ステップ１４１Ｃ）蓋の開閉角度の調整を行う（ステップ１４２Ｂ）。
【００５３】
送風調整も送風機１４４の送風の強弱を調整し香りの漂い方を調整する。
【００５４】
香りＢＯＸ１４は消臭機能もあり画像の切り替わりなどの場合室内の香りを早急に消臭する為に風量を増し次に予定している香りと混ざらないようにする（ステップ１４１Ｄ）。
【００５５】
図６のフローチャートに戻り、リラクゼーションシステムの終了は、コントロールサーバ２０が送信するデータが送信し終えたか、送信中であっても利用者が途中で打ち切りたい場合は、操作パネル１５より終了の指示をすることができる。このとき、終了信号がホームサーバ１０に入る（ステップ１５Ｃ）。ホームサーバ１０は、終了通知をコントロールサーバ２０にあげるのでコントロールサーバ２０は、送信中のデータが有れば送信を停止する。コントロールサーバ２０は、利用者に対してのリラクゼーション効果を確認する画面を送信する。この画面上にはコントロールサーバ２０が利用者に請求する金額も記載されている。これに対して、利用者は十分に効果があった、まあまあ、等でその応答を行う。以上にてリラクゼイションシステムの動作が終了する（ステップ１０Ｉ）。
【００５６】
次に、利用者が、初期メニュー画面から２．の笑いを選択すると、コントロールサーバ２０が送信した次の画面から笑いの嗜好について例えば、爆笑、くすくす笑い、ほほえましい笑い等から好みの笑いの種類を選択できる。また、利用者は落語家、漫才師、喜劇俳優等から好みの人を選択できるようになっている。さらに、利用者は、コントロールサーバ２０による最近放送されたテレビや上映された映画から笑いを催す１分から５分前後の場面を複数収録した笑い特集を選択することもできる。笑い特集は過去の収録分を含め複数本が登録されている。
【００５７】
利用者が、初期メニュー画面から３．の感動的場面を選ぶと、過去に上映された映画やテレビ等で放送されたドラマ等において涙を誘うような感動的な場面を鑑賞することができる。
【００５８】
さらに、利用者が４．の重病からの生還を選択すると、過去に重病を患って完治した人の映像を含むインタビューやドキュメンタリー等を鑑賞することができる。この場合、ガンからの生還、重い糖尿病からの生還、等病状を指定することができるようになっている。
【００５９】
さらに、人を勇気付ける言葉特集として、過去の偉人等の一覧から好みの人を選択することができる。この場合、選択した人の思想から人々を勇気づける言葉がお気に入りの俳優等の朗読によってスピーカ１２から繰り返し流れるようになっている。
【００６０】
利用者が、初期メニュー画面から笑い、感動的場面、重病からの生還、偉人等の言葉を選択した場合は、コントロールサーバ２０は、該当する録画情報を録画ＤＢ２５から取り込み、取り込んだ録画情報をホームサーバ１０に送信する。ホームサーバ１０は、モニター１１とスピーカ１２に当該録画情報が流すことになる。
【００６１】
コントロールサーバ２０では、自身のホームページを開設して、リラクゼーションを受ける受けないに関わりなく、一般の利用者から、笑い、感動的場面、重病からの生還、偉人等の言葉の情報を公募している。一般の利用者は、例えば、最近自分が見た映画やテレビ等で腹を抱えて笑ったようなもの、涙を流して感動したようなもの、新聞、雑誌、インターネットのホームページ、書籍、展覧会等の各種イベント等によって感動した文言、展示物等に遭遇した場合、その映画やテレビ番組の名前及びその場面、書籍名とそのページ番号とその文言等をコントロールサーバ２０のホームページにパソコン等の一般端末５０によって登録する。
【００６２】
また、利用者は、例えば自分の身近に重病を患ってその重病を克服したような人がいる場合、その人を紹介する情報（名前、住所、電話番号等）をコントロールサーバ２０のホームページに登録することもできる。
【００６３】
コントロールサーバ２０では、利用者から登録された内容を定期的に集計して登録数の多い映画やテレビ番組等を選定し、該当する映画会社、テレビ局と交渉して必要な場面を入手し録画ＤＢ２５に登録するようにしている。コントロールサーバ２０は、録画ＤＢ２５に登録した情報を提供してくれた利用者に対しては、例えば報奨金等を利用者の持つ金融機関の口座に振り込むようにする。尚、コントロールサーバ２０では、このようにして作成した録画情報を別のホームページに設定して一般の利用者に公開することも可能である。
【００６４】
また、コントロールサーバ２０の関係者は、利用者の提供した情報の取捨判断を行うとともに、市販のビデオ、ＤＶＤ等から映画、落語家、等の情報を入手し該当する情報を選択してこれも録画ＤＢ２５に登録するようにしている。
【産業上の利用可能性】
【００６５】
生活に疲れて落ち込んだ人や種々の悩みをもって生きる気力を失った人に対し、センタで管理する活力を与える情報をインターネットを通して提供するような産業上の分野に利用できる。
【図面の簡単な説明】
【００６６】
【図１】本発明の実施例の概略の構成を説明するブロック図である。
【図２】本発明の実施例の詳細な構成の説明図である。
【図３】本発明の実施例における香りＢＯＸの構成図である。
【図４】本発明の実施例の動作を説明するフローチャートである。
【図５】本発明の実施例の動作を説明するフローチャートである。
【図６】本発明の実施例の動作を説明するフローチャートである。
【図７】本発明の実施例の動作を説明するフローチャートである。
【図８】本発明の実施例の初期メニュー画面の説明図である。
【符号の説明】
【００６７】
１０    ホームサーバ
１１    モニター
１２    スピーカー
１３    照明装置
１４    香りＢＯＸ
１５    操作パネル
２０    コントロールサーバ
２１    映像ＤＢ
２２    音楽ＤＢ
２３    香りＤＢ
２４    個人情報ＤＢ
２５    録画ＤＢ
３０    リラクゼーションルーム
４０    インターネット
５０    一般端末
【図１】
2005143629.tif 000003
【図２】
2005143629.tif 000004
【図３】
2005143629.tif 000005
【図４】
2005143629.tif 000006
【図５】
2005143629.tif 000007
【図６】
2005143629.tif 000008
【図７】
2005143629.tif 000009
【図８】
2005143629.tif 000010